(57)【要約】【課題】  お返しを辞退したい旨を相手に必ず伝えることができる金封袋を提供する。【解決手段】  金封袋１は、紙幣を収容する場合に、または、収容された紙幣を取り出す場合に、その紙幣の裏側となる面である背面１１、背面１１に対して上部にある上部折り返し面１２、背面１１に対して下部にある下部折り返し面１３、背面１１に対して左側にある第１の上面１４、背面１１に対して右側にある第２の上面１５、および、第２の上面１５の更に右側に配置される側部折り返し面１６により構成されている。背面１１は、利用可能な紙幣が充分納められる面積を有する矩形であり、お返しを辞退したい旨を失礼のないように伝えるためのメッセージが印刷されている。【選択図】図１
0003206389.tif 000002
【実用新案登録請求の範囲】
【請求項１】
紙幣を配置するための矩形面と、
前記矩形面の少なくとも一辺に沿って配置され、前記矩形面上部に配置された前記紙幣の一部にかかるように折り曲げられる折り曲げ部と
を備え、
前記矩形面の前記紙幣と接する面にメッセージが印字されている
ことを特徴とする金封袋。
【請求項２】
請求項１に記載の金封袋であって、
前記折り曲げ部は、前記矩形面の前記メッセージが印刷されている面の上部となる一辺に沿って配置され、前記矩形面上に配置された前記紙幣上に折り曲げられた時、前記金封袋を外袋から取り出さなければ、前記紙幣を容易に取り出すことができない形状を有している
ことを特徴とする金封袋。
【請求項３】
請求項１に記載の金封袋であって、
前記折り曲げ部は、前記矩形面の前記メッセージが印刷されている面の下部となる一辺に沿って配置され、前記矩形面上に配置された前記紙幣上に折り曲げられた時、前記金封袋を外袋から取り出す場合に前記紙幣が容易に落下しない形状を有している
ことを特徴とする金封袋。
【請求項４】
請求項１に記載の金封袋であって、
前記折り曲げ部は、前記矩形面の前記メッセージが印刷されている面の左右少なくともいずれか一辺に沿って配置され、前記矩形面上に配置された前記紙幣上に折り曲げられた時、前記紙幣がほぼ隠れる形状を有している
ことを特徴とする金封袋。
【考案の詳細な説明】
【技術分野】
【０００１】
本考案は、金封袋に関する。
【背景技術】
【０００２】
例えば、結婚、出産などのおめでたい場合、または、死去、葬儀、法要などのお悔みごと（以下、特に区別する必要がない場合は、慶弔時と総称する）に、相手に金封を贈り、お祝いの気持ち、または、お悔やみの気持ちなどが伝えられてきた。金封の形態としては、その用途に即した祝儀袋や、不祝儀袋、熨斗袋等の外袋にそのまま紙幣を入れる、もしくは内袋（または、中袋と称される場合もある）に紙幣を入れ、その内袋を外袋に封入して相手側に渡すのが礼儀とされている。
【０００３】
従来、慶弔時に金封をいただいた側は、例えば、いただいた金額の半額に相当する物品などをお礼としてお返しすることが一般的であった。
【考案の概要】
【考案が解決しようとする課題】
【０００４】
金封をいただいた側は、それ相応のお返しを考え、送付する必要がある。これに対して、近年、親しい間柄では、お返しにかかる手間をかけないようにするため、慶弔時に金封を渡す側が、お返しをいただかないことを希望することが増えている。
【０００５】
しかしながら、お返しを辞退したい旨を失礼のないように伝えるにはどのようにすればよいかは、非常に難しい問題である。また、お返しを辞退したい旨を記したメッセージを金封袋に同封するにも、自筆に自信がない場合もある。さらに、お返しを辞退したい旨を記したメッセージを金封袋に同封した場合においては、金封袋から現金（多くの場合は紙幣）のみを抜き出されることなく、必ず、同封されたメッセージが相手に伝わる必要がある。
【０００６】
そこで、本考案は、上記課題を解決すること、すなわち、慶弔時に金封を贈る場合に、自筆のメッセージを記載することなく、お返しを辞退したい旨を相手に伝えることができる、主に内袋として使用できる金封袋を提供することを目的とする。
【課題を解決するための手段】
【０００７】
上記課題を解決するために、本考案の金封袋の一側面は、紙幣を配置するための矩形面と、矩形面の少なくとも一辺に沿って配置され、矩形面上部に配置された紙幣の一部にかかるように折り曲げられる折り曲げ部とを備え、矩形面の紙幣と接する面にメッセージが印字されていることを特徴とする。
【０００８】
本考案の金封袋の他の側面は、折り曲げ部が、矩形面のメッセージが印刷されている面の上部となる一辺に沿って配置され、矩形面上に配置された紙幣上に折り曲げられた時、内袋を外袋から取り出さなければ、紙幣を容易に取り出すことができない形状を有していることを特徴とする。
【０００９】
本考案の金封袋の他の側面は、折り曲げ部が、矩形面のメッセージが印刷されている面の下部となる一辺に沿って配置され、矩形面上に配置された紙幣上に折り曲げられた時、金封袋を外袋から取り出す場合に紙幣が容易に落下しない形状を有していることを特徴とする。
【００１０】
本考案の金封袋の他の側面は、折り曲げ部が、矩形面のメッセージが印刷されている面の左右少なくともいずれか一辺に沿って配置され、矩形面上に配置された紙幣上に折り曲げられた時、紙幣がほぼ隠れる形状を有していることを特徴とする。
【考案の効果】
【００１１】
本考案によれば、お返しを辞退したい旨を容易に相手に伝えることができる。
【図面の簡単な説明】
【００１２】
【図１】金封袋の内面について説明するための図である。
【図２】金封袋の外面について説明するための図である。
【図３】金封袋の外面の記入例について説明するための示す図である。
【図４】金封袋の使用方法について説明するための図である。
【図５】金封袋の使用方法について説明するための図である。
【図６】金封袋の使用方法について説明するための図である。
【図７】金封袋の使用方法について説明するための図である。
【図８】金封袋の他の構成例について説明するための図である。
【図９】金封袋の他の構成例について説明するための図である。
【図１０】金封袋の他の構成例について説明するための図である。
【考案を実施するための形態】
【００１３】
以下、本考案の一実施の形態の金封袋（内袋、または、中袋と称される場合もある）について、図１〜図１０を参照しながら説明する。
【００１４】
図１は、本考案の一実施の形態の金封袋１の内面、すなわち、現金を収容した状態で内側になる面を示している。金封袋１は、慶事に用いられるものであり、図示しない外袋に収容され、相手側に渡される。また、金封袋１に収容される現金は、多くの場合は紙幣であるため、以下、金封袋１に収容される現金は紙幣であるものとして説明する。
【００１５】
金封袋１は、紙幣を収容する場合に、または、収容された紙幣を取り出す場合に、その紙幣と接する面である背面１１、背面１１に対して上部にある上部折り返し面１２、背面１１に対して下部にある下部折り返し面１３、背面１１に対して左側にある第１の上面１４、背面１１に対して右側にある第２の上面１５、および、第２の上面１５の更に右側に配置される側部折り返し面１６により構成されている。
【００１６】
背面１１は、収容される紙幣が充分納められる面積を有する矩形であり、例えば、「この度はおめでとうございます。心より御祝い申し上げます。僅かばかりの気持ちでございますので、お返し等はお気遣いなさいませんようお願い申し上げます」などの、お返しを辞退したい旨を失礼のないように伝えるためのメッセージが印刷されている。
【００１７】
上部折り返し面１２、下部折り返し面１３、第１の上面１４、第２の上面１５、および、側部折り返し面１６の詳細については、図４〜図７を用いて後述する。
【００１８】
図２は、金封袋１の外面、すなわち、現金を収容した状態で外側になる面を示している。金封袋１には、現金を収容した状態で外側になる面に、金額および氏名が記載される。また、紙幣を収容している状態の金封袋１の外側から、メッセージが見えてしまうことも避けたい。そのため、金封袋１の外面には、お返しを辞退したい旨を伝えるためのメッセージは記載されない。
【００１９】
すなわち、金封袋１においては、背面１１の、紙幣を収容した時に紙幣の下となる位置にメッセージが記載されていることにより、紙幣を収容している状態の金封袋１の外側からは、メッセージは見えず、紙幣を取り出した人は、このメッセージを見ることができるようになされている。
【００２０】
金額および氏名の記入の例を、図３に示す。金封袋１の外面には、例えば、金額及び氏名の記入のガイダンスとなる罫線等をあらかじめ印刷しておくようにしてもよい。
【００２１】
次に、図４〜図７を参照して、金封袋１の使用方法について説明する。
【００２２】
図４に示されるように、金封袋１の内面を上にした状態において、背面１１のメッセージ上に紙幣が配置される。
【００２３】
図５に示されるように、まず、背面１１に配置された紙幣上に、上部折り返し面１２および下部折り返し面１３が折り返される。
【００２４】
上部折り返し面１２は、金封袋１を開くことなく、金封に収容された紙幣のみが抜き取られることを防ぐために、背面１１上に紙幣が置かれたのち、紙幣上に折り返される。これにより、背面１１のメッセージは、紙幣を取り出すときに必ず相手側の目に入るため、お返しを辞退したい旨を相手に確実に伝えることができる。
【００２５】
下部折り返し面１３は、外袋から金封袋１を取り出すときに、金封袋１から紙幣が落下することを防ぐために、背面１１上に紙幣が置かれたのち、紙幣上に折り返される。
【００２６】
そして、上部折り返し面１２および下部折り開始面が折り返された部分を覆うように、左側から、第１の上面１４が折り返される。第１の上面１４は、背面１１上に紙幣が置かれ、第１の上面１４が紙幣上に折り返された時、背面１１上に置かれる紙幣がほぼ隠れるような大きさであると好適である。
【００２７】
更に、第１の上面１４を覆うように、右側から、第２の上面１５が折り返される。第２の上面１５は、その短辺の長さは、背面１１よりわずかに長いものとする。第１の上面１４および第２の上面１５で背面１１上の紙幣が完全に隠れるようになされていれば、第２の上面１５は、矩形以外のデザインであっても構わない。
【００２８】
そして、図６に示されるように、金封袋１を裏返した状態で、側部折り返し面１６が折り返される。側部折り返し面１６は、金封袋１の一部をテープやのり等で接着することなく、金封袋１が容易に広がらないだけの大きさを有している。金封袋１においては、この状態において、換言すれば、紙幣を金封袋１に収容した状態の裏側となる面に、図３を用いて説明した記入例における氏名が配置されるようになされている。
【００２９】
そして、金封袋１においては、図７に示されるように、紙幣を金封袋１に収容した状態の表側となる面に、図３を用いて説明した記入例における金額が配置されるようになされている。
【００３０】
慶弔時に現金を包む場合において、紙、袱紗等をもちいた包み方（折り方）は、マナーとして一般的なものが定められている。金封袋１を使用した場合、第１の上面１４の更に上に第２の上面１５を折り返し、側部折り返し面１６でおりとめることにより、慶弔事におけるマナーに合致した方法で紙幣を容易に包むことが可能となる。
【００３１】
次に、図８〜図１０を用いて、金封袋の他の構成例について説明する。
【００３２】
お返しを辞退したい旨を伝えるメッセージを相手に伝えるためには、換言すれば、金封袋を開くことなく収容された紙幣のみが抜き取られることにより、お返しを辞退したい旨を伝えるメッセージが相手に伝わらないことを防止するためには、例えば、図８に示される金封袋３１のように、紙幣と接し、メッセージが記載される面である背面４１、および、背面４１に対して上部にある上部折り返し面４２が備わっていればよい。さらに、背面４１に対して下部にある下部折り返し面４３が設けられることにより、外袋から金封袋３１を取り出すときに、金封袋３１から紙幣が落下することを防ぐことが可能となる。
【００３３】
また、例えば、図９に示される金封袋５１のように、紙幣と接し、メッセージが記載される面である背面６１、背面６１に対して上部にある上部折り返し面６２、背面６１に対して下部にある下部折り返し面６３、および、第１の上面６４のみを有する構造としてもよい。第１の上面６４は、慶事用の場合は、図９に示されるように、背面６１に対して左側にあるが、弔事用の場合は、背面６１に対して右側に配置される。
【００３４】
また、例えば、図１０に示される金封袋７１のように、紙幣と接し、メッセージが記載される面である背面８１、背面８１に対して上部にある上部折り返し面８２、背面８１に対して下部にある下部折り返し面８３、背面８１に対して左側にある第１の上面８４、および、背面８１に対して右側にある第２の上面８５のみを有する構造とし、上述した金封袋１の側部折り返し面１６を省略した形状としてもよい。
【００３５】
図１０に示される金封袋７１においては、慶事用の場合は、背面８１に対して左側の第１の上面８４が先に折り返され、次いで、背面８１に対して右側の第２の上面８５が上になるように折り返される。そして、弔事用の場合は、背面８１に対して右側の第２の上面８５が先に折り返され、次いで、背面８１に対して左側の第１の上面８４が上になるように折り返される。
【００３６】
上述した金封袋１、３１、５１、および７１には、和紙や上質紙などが用いられていると好適である。また、上述した金封袋１、３１、５１、および７１には、その用途に基づいて、種々のデザインが施されていてもよいことは言うまでもない。
【００３７】
また、本考案の実施の形態は、上述した実施の形態に限定されるものではなく、本考案の要旨を逸脱しない範囲において種々の変更が可能である。
【符号の説明】
【００３８】
１…金封袋、  １１…背面、  １２…上部折り返し面、  １３…下部折り返し面、  １４…第１の上面、  １５…第２の上面、  １６…側部折り返し面、  ３１…金封袋、  ４１…背面、  ４２…上部折り返し面、  ４３…下部折り返し面、  ５１…金封袋、  ６１…背面、  ６２…上部折り返し面、  ６３…下部折り返し面、  ６４…第１の上面、  ７１…金封袋、  ８１…背面、  ８２…上部折り返し面、  ８３…下部折り返し面、  ８４…第１の上面、  ８５…第２の上面、
【図１】
0003206389.tif 000003
【図２】
0003206389.tif 000004
【図３】
0003206389.tif 000005
【図４】
0003206389.tif 000006
【図５】
0003206389.tif 000007
【図６】
0003206389.tif 000008
【図７】
0003206389.tif 000009
【図８】
0003206389.tif 000010
【図９】
0003206389.tif 000011
【図１０】
0003206389.tif 000012